(57)【要約】【課題】本発明は、多数の電気機械器具を相互に時間差を持たせ間欠作動させ最大電力の低減ができる電気機械器具の省電力装置用制御機器に関する。【解決手段】省電力装置用制御機器１は、コンピュータ利用し最大電力低減を図る機器で、雰囲気数値を入力する検出値入力部２と、検出数値に基づき間欠作動指令を入力する作動指令入力部３と、間欠作動プログラムを記憶する作動プログラム記憶部４と、プログラム処理するプログラム処理部５と、雰囲気数値等を表示する表示部６と、作動指令を出力する作動指令出力部７と、からなる。【効果】電気機械器具の一斉作動を回避し、最大電力の低減を図り、電力料金を可及的に減少させると共に、燃料の省資源を図り、さらに環境悪化を可及的に阻止できるようにし、従来不具合の解消を図り、使用勝手を飛躍的に向上させることができる効果がある。【選択図】          図１
2004166475.tif 000002
【特許請求の範囲】
【請求項１】
コンピュータを利用して最大電力の低減を図る機器であって、雰囲気の数値を感知する検出手段が検知した数値を入力する検出値入力部と、
検出手段により検出した数値に基づいて多数の空調機器その他の電気機械器具の相互を時間差を持たせて間欠作動させる指令を入力する作動指令入力部と、
該多数の空調機器その他の電気機械器具を相互に時間差を持たせて間欠作動させるプログラムを記憶させる作動プログラム記憶部と、
該プログラムを処理するプログラム処理部と、
上記検出入力部に入力された雰囲気の数値、指令入力部に入力された作動指令、記憶部に記憶された間欠作動プログラム、等を表示する表示部と、
上記検出値により電気回路を開閉作動する指令を出力する作動指令出力部と、
を備え、多数の空調機器その他の電気機械器具を相互に時間差を持たせて間欠作動させることで、最大電力の低減を図ることができる、
ことを特徴とする電気機械器具の省電力装置用制御機器。
【請求項２】
多数の空調機器その他の電気機械器具の最大電力の低減を図ることができる装置に使用する検出値入力部であって、
温度センサが検知した雰囲気温度を入力する温度入力部又は、
湿度センサが検知した雰囲気湿度を入力する湿度入力部又は、
気圧センサが検知した雰囲気気圧を入力する気圧入力部又は、
不快指数センサが検知した雰囲気不快指数を入力する不快指数入力部、
を備えた、
ことを特徴とする請求項１記載の電気機械器具の省電力装置用制御機器。
【請求項３】
多数の空調機器その他の電気機械器具の最大電力の低減を図ることができる装置に使用する作動指令入力部であって、
検出入力部に入力された雰囲気の数値により、運転時間と停止時間とを設定し、多数の空調機器その他の電気機械器具の相互を時間差を持たせて間欠作動させる１段負荷運転を作動する指令を入力する１段作動指令入力部と、
２段負荷運転を作動する指令を入力する２段作動指令入力部と、
３段負荷運転を作動する指令を入力する３段作動指令入力部と、……
ｎ段負荷運転を作動する指令を入力するｎ段作動指令入力部と、
を備えた、
ことを特徴とする請求項１記載の電気機械器具の省電力装置用制御機器。
【請求項４】
多数の空調機器その他の電気機械器具の最大電力の低減を図ることができる装置に使用する作動プログラム記憶部であって、
上記検出入力部に入力された雰囲気の温度、湿度、気圧、不快指数等の数値により、運転時間と停止時間とを設定し、多数の空調機器その他の電気機械器具の相互を時間差を持たせて間欠作動させる作動プログラムが記憶されている、
ことを特徴とする請求項１記載の電気機械器具の省電力装置用制御機器。
【請求項５】
多数の空調機器その他の電気機械器具の最大電力の低減を図ることができる装置に使用するプログラム処理部であって、
上記検出入力部に入力された雰囲気の温度、湿度、気圧、不快指数等の数値に応じて、多数の空調機器その他の電気機械器具の相互を時間差を持たせて間欠作動させる作動プログラムを演算処理する、
ことを特徴とする請求項１記載の電気機械器具の省電力装置用制御機器。
【請求項６】
多数の空調機器その他の電気機械器具の最大電力の低減を図ることができる装置に使用する表示部であって、
検出入力部に入力された雰囲気の温度、湿度、気圧、不快指数等の雰囲気の数値や負荷運転を作動する作動指令、間欠作動させる作動プログラム等を表示する、ことを特徴とする請求項１記載の電気機械器具の省電力装置用制御機器。
【請求項７】
多数の空調機器その他の電気機械器具の最大電力の低減を図ることができる装置に使用する作動指令出力部であって、
上記１段負荷運転を作動する指令を出力する１段作動指令出力部と、
上記２段負荷運転を作動する指令を出力する２段作動指令出力部と、
上記３段負荷運転を作動する指令を出力する３段作動指令出力部と、……
上記ｎ段負荷運転を作動する指令を出力するｎ段作動指令出力部と、
を備えた、
ことを特徴とする請求項１記載の電気機械器具の省電力装置用制御機器。
【発明の詳細な説明】
【０００１】
【産業上の利用分野】
本発明は、電気機械器具の省電力装置用制御機器に関し、特に間欠作動させる適切かつ確実に間欠作動させることで電気機械器具の省電力を図ることができる電気機械器具の省電力装置用制御機器に関するものである。
【０００２】
【従来の技術】
従来、スーパーやデパート等の商店や工場、会社その他の電気機械器具を多数使用する所では、これら電気機械器具を一斉に作動させると、最大電力が過大となるばかりでなく、ブレーカが落ちる等の不具合があった。
【０００３】
また、最大電力が大きい程電力料金が等比級数的に増大する問題点があった。
【０００４】
一方、有限な石油を使用する火力発電や有限なウランを使用する原子力発電等の発電所にあっては、省資源の点や環境保護の点から省電力を図る必要があるが、技術の進歩に伴い、電気機械器具が増加し、電力が増大して、環境が悪化するという問題点があった。
【０００５】
【発明が解決しようとする課題】
このような従来技術の問題点に鑑み、本発明の主な目的は、電気機械器具の一斉作動を回避することで、最大電力の低減を図り、電力料金を可及的に減少させると共に、石油やウラン等の燃料の省資源を図り、さらに環境の悪化を可及的に阻止することができるようにして、従来の不具合の解消を図り、使用勝手を飛躍的に向上させた電気機械器具の省電力装置用制御機器を提供することにある。
【０００６】
【課題を解決するための手段】
このような目的は、本発明によれば、
コンピュータを利用して最大電力の低減を図る機器であって、
雰囲気の数値を感知する検出手段が検知した数値を入力する検出値入力部と、
検出手段により検出した数値に基づいて多数の空調機器その他の電気機械器具の相互を時間差を持たせて間欠作動させる指令を入力する作動指令入力部と、
該多数の空調機器その他の電気機械器具を相互に時間差を持たせて間欠作動させるプログラムを記憶させる作動プログラム記憶部と、
該プログラムを処理するプログラム処理部と、
上記検出入力部に入力された雰囲気の数値、指令入力部に入力された作動指令、
記憶部に記憶された間欠作動プログラム、等を表示する表示部と、
上記検出値により電気回路を開閉作動する指令を出力する作動指令出力部と、
を備え、多数の空調機器その他の電気機械器具を相互に時間差を持たせて間欠作動させることで、最大電力の低減を図ることができる、
ことを特徴とする電気機械器具の省電力装置用制御機器、
を提供することにより達成される。
【０００７】
【作用】
このように、本発明によれば、空調機器その他の電気機械器具の相互を時間差を持たせて間欠作動させることで、最大電力の低減を図ることができる。
【０００８】
すなわち、空調機器その他の電気機械器具を相互を時間差を持たせて作動させることで、最大電力の低減を図ることができる。
（１）コンピュータを利用して最大電力の低減を図る装置であるので、作動が簡単かつ確実となる。
（２）雰囲気の数値を検出して該数値に基づいて多数の空調機器その他の電気機械器具を相互に時間差を持たせて間欠作動させるので、部屋の温度や照度その他を最適な条件になるように確実に作動させることができる。
（３）雰囲気の数値に基づいて多数の空調機器その他の電気機械器具を相互に時間差を持たせて間欠作動させるように制御するので、電力料金を可及的に減少させることができる。
（４）多数の空調機器その他の電気機械器具を相互に時間差を持たせて間欠作動させるので、無駄な電力を削減して、効率的に電力を使用し、最大電力の低減を図ることができる、
（５）コンピュータを利用して間欠作動制御することで、無駄な電力を削減し、最大電力の低減を図るので、石油等の燃料の省資源を図ることが出来る。
（６）電気機械器具の省電力を確実に制御することで、環境の悪化を可及的に阻止することができる。
【０００９】
【発明の実施の形態】
次に、本発明の実施の形態の一実施例について詳述する。
【００１０】
図１は、本発明の実施の形態の第１例を示している。
【００１１】
本発明の実施の形態の第１例である電気機械器具の省電力装置用制御機器１は、空調機器その他の電気機械器具が多数使用される店舗、工場その他の施設において、該多数の空調機器その他の電気機械器具を相互に時間差を持たせて間欠作動させることで、最大電力の低減を図ることができる機器である。
【００１２】
該省電力装置用制御機器１は、
コンピュータを利用して最大電力の低減を図る機器であって、
雰囲気の数値を感知する検出手段が検知した数値を入力する検出値入力部２と、
検出手段により検出した数値に基づいて多数の空調機器その他の電気機械器具の相互を時間差を持たせて間欠作動させる指令を入力する作動指令入力部３と、
該多数の空調機器その他の電気機械器具を相互に時間差を持たせて間欠作動させるプログラムを記憶させる作動プログラム記憶部４と、
該プログラムを処理するプログラム処理部５と、
上記検出入力部に入力された雰囲気の数値、指令入力部に入力された作動指令、
記憶部に記憶された間欠作動プログラム、等を表示する表示部６と、
上記検出値により電気回路を開閉作動する指令を出力する作動指令出力部７と、
を備え、多数の空調機器その他の電気機械器具を相互に時間差を持たせて間欠作動させることで、最大電力の低減を図ることができるものである。
【００１３】
上記検出値入力部２は、
温度センサが検知した雰囲気温度を入力する温度入力部２ａ又は、
湿度センサが検知した雰囲気湿度を入力する湿度入力部２ｂ又は、
気圧センサが検知した雰囲気気圧を入力する気圧入力部２ｃ又は、
不快指数センサが検知した雰囲気不快指数を入力する不快指数入力部２ｄ、
を備えている。
【００１４】
また、前記作動指令入力部３は、
検出入力部に入力された雰囲気の数値により、運転時間と停止時間とを設定し、多数の空調機器その他の電気機械器具の相互を時間差を持たせて間欠作動させる１段負荷運転を作動する指令を入力する１段作動指令入力部３ａと、
２段負荷運転を作動する指令を入力する２段作動指令入力部３ｂと、
３段負荷運転を作動する指令を入力する３段作動指令入力部３ｃと、
ｎ段負荷運転を作動する指令を入力するｎ段作動指令入力部３ｘと、
を備えている。
【００１５】
さらに、前記作動プログラム記憶部４は、
前記検出入力部に入力された雰囲気の温度、湿度、気圧、不快指数等の数値により、運転時間と停止時間とを設定し、多数の空調機器その他の電気機械器具の相互を時間差を持たせて間欠作動させる作動プログラムが記憶されているものであり、ＲＯＭやＲＡＭ等の電子メモリ回路がある。
【００１６】
また、前記プログラム処理部５は、
前記検出入力部に入力された雰囲気の温度、湿度、気圧、不快指数等の数値に応じて、多数の空調機器その他の電気機械器具の相互を時間差を持たせて間欠作動させる作動プログラムを演算処理するものであり、ＣＰＵその他のものがある。
【００１７】
さらに、前記表示部６は、
検出入力部に入力された雰囲気の温度、湿度、気圧、不快指数等の雰囲気の数値や負荷運転を作動する作動指令、間欠作動させる作動プログラム等を表示するものであり、ＬＣＤその他のものがある。
【００１８】
また、前記作動指令出力部７は、
上記１段負荷運転を作動する指令を出力する１段作動指令出力部７ａと、
上記２段負荷運転を作動する指令を出力する２段作動指令出力部７ｂと、
上記３段負荷運転を作動する指令を出力する３段作動指令出力部７ｃと、
上記ｎ段負荷運転を作動する指令を出力するｎ段作動指令出力部７ｘと、
を備えている。
【００１９】
前記雰囲気の数値は、前記雰囲気の温度や湿度や不快指数や気圧に限られることなく、例えば明暗度その他とすることができるのは勿論である。
【００２０】
このように、温度や湿度等の雰囲気の数値を検出して、予め記憶してあるプログラムにより処理し、該数値に基づいて作動指令を出力し、多数の空調機器その他の電気機械器具の相互を時間差を持たせて間欠作動させることで、最大電力の低減を図ることができる。
【００２１】
尚、本発明の電気機械器具の省電力装置用制御機器１は、上記実施例の構成に限られることなく、上記実施例の構成に追加することや、他の構成で置換することができるのは勿論である。
【００２２】
次に、本発明の使用方法を上記実施の形態の第１例の電気機械器具の省電力装置用制御機器１によって詳述する。
【００２３】
本発明の電気機械器具の省電力装置用制御機器１にあっては、
空調機器その他の電気機械器具が多数使用される店舗、工場その他の施設において、該多数の空調機器その他の電気機械器具を相互に時間差を持たせて間欠作動させることで、最大電力の低減を図ることができるものである。
【００２４】
すなわち、図２に良く示されているように、
（１）まず、温度や湿度や不快指数や気圧その他の雰囲気の数値に対応して空調機器その他の多数の電気機械器具を相互に時間差を持たせて間欠作動させるように作動プログラム記憶部４にプログラミングをする。
（２）次に、検出手段である温度センサや湿度センサや不快指数センサや気圧センサその他のセンサ等が検知した雰囲気温度、湿度、不快指数、気圧等を温度入力部２ａ、湿度入力部２ｂ、気圧入力部２ｃ、不快指数入力部２ｄ等に入力することにより、温度や湿度や不快指数や気圧その他、空調機器その他の電気機械器具５の種類に対応して雰囲気の数値を検知して入力する。
（３）つづいて、運転時間と停止時間とを設定して作動する指令を空調機器その他の電気機械器具５に出力する為に、検出入力部に入力された雰囲気の数値により、１段作動指令入力部３ａに１段負荷運転を作動する指令、２段作動指令入力部３ｂに２段負荷運転を作動する指令、３段作動指令入力部３ｃに３段負荷運転を作動する指令、……またはｎ段作動指令入力部３ｘにｎ段負荷運転を作動する指令、を入力する。
（４）さらに、プログラム処理部５により、検出入力部に入力された雰囲気の温度、湿度、気圧、不快指数等の数値に応じて、多数の空調機器その他の電気機械器具の相互を時間差を持たせて間欠作動させる作動プログラムを演算処理する。（５）これら検出入力部に入力された雰囲気の温度、湿度、気圧、不快指数等の雰囲気の数値や負荷運転を作動する作動指令、間欠作動させる作動プログラム等は表示部６に表示される。
（６）つづいて、上記作動プログラムを演算処理することで、
前記検出入力部に入力された雰囲気の数値に応じて、
１段作動指令出力部７ａにより１段負荷運転を作動する指令、
２段作動指令出力部７ｂにより２段負荷運転を作動する指令、
３段作動指令出力部７ｃにより３段負荷運転を作動する指令、……または
ｎ段作動指令出力部７ｘによりｎ段負荷運転を作動する指令を、出力する。
（７）さらに、該作動指令出力によって、空調機器その他の電気機械器具の電気回路の相互に時間差を持たせて間欠させて断続（ＯＦＦ、ＯＮ）する。
（８）これによって、空調機器その他の電気機械器具が多数使用される店舗、工場その他の施設において、該多数の空調機器その他の電気機械器具を相互に時間差を持たせて間欠作動させることができる。
（９）このようにして、空調機器その他の電気機械器具が多数使用される店舗、工場その他の施設において、最大電力の低減を図ることができる。
【００２５】
次に、本発明の使用方法によって、相互が時間差を持たせて間欠作動する空調機器その他の電気機械器具５について説明する。
【００２６】
この際、一例として、該電気機械器具５が空調機器である場合について、図３〜図８に基づいて詳述する。
【００２７】
すなわち、
例えば、従来例においては、図３〜図５に良く示されているように、
夏季にあっては、
図３に良く示されてる２５度Ｃにおいては、快適温度であるので、空調機器を作動させることなく全機器をＯＦＦ状態（無負荷状態）とし、
図４に良く示されてる３５度Ｃにおいては、暑さを感じる不快温度であるので、空調機器を略半分程度作動させ、略半分程度の機器をＯＮ及び略半分程度の機器をＯＦＦ状態（中負荷状態）とし、
図５に良く示されてる４０度Ｃにおいては、暑さが激しい不快温度であるので、全ての空調機器を作動させ、全ての機器をＯＮ状態（高負荷状態）としている。冬季にあっては、
図３に良く示されてる２０度Ｃにおいては、快適温度であるので、空調機器を作動させることなく全機器をＯＦＦ状態（無負荷状態）とし、
図４に良く示されてる  ５度Ｃにおいては、寒さを感じる不快温度であるので、空調機器を略半分程度作動させ、略半分程度の機器をＯＮ及び略半分程度の機器をＯＦＦ状態（中負荷状態）とし、
図５に良く示されてる  ０度Ｃにおいては、寒さが激しい不快温度であるので、全ての空調機器を作動させ、全ての機器をＯＮ状態（高負荷状態）としている。
【００２８】
これに対して、本発明にあっては、図６〜図８に良く示されているように、
夏季にあっては、
図６に良く示されてる２５度Ｃにおいては、快適温度であるので、空調機器を作動させることなく全機器をＯＦＦ状態（無負荷状態）とし、
図７に良く示されてる３５度Ｃにおいては、暑さを感じる不快温度であるので、空調機器の全体を間欠作動させ、比較的ＯＦＦ状態を長くとって、比較的ＯＮ状態を短くとった間欠作動（中負荷状態）とし、
図８に良く示されてる４０度Ｃにおいては、暑さが激しい不快温度であるので、比較的ＯＦＦ状態を短くとって、比較的ＯＮ状態を長くとった間欠作動（高負荷状態）としている。
冬季にあっては、
図６に良く示されてる２０度Ｃにおいては、快適温度であるので、空調機器を作動させることなく全機器をＯＦＦ状態（無負荷状態）とし、
図７に良く示されてる  ５度Ｃにおいては、寒さを感じる不快温度であるので、空調機器の全体を間欠作動させ、比較的ＯＦＦ状態を長くとって、比較的ＯＮ状態を短くとった間欠作動（中負荷状態）とし、
図８に良く示されてる  ０度Ｃにおいては、寒さが激しい不快温度であるので、比較的ＯＦＦ状態を短くとって、比較的ＯＮ状態を長くとった間欠作動（高負荷状態）としている。
【００２９】
このように、本発明によれば、空調機器その他の電気機械器具５を相互に時間差を持たせて間欠作動させることで、最大電力の低減を図ることができる。
【００３０】
すなわち、空調機器その他の電気機械器具５を相互に時間差を持たせて作動させることで、最大電力の低減を図ることができ、電力料金を可及的に減少させることで、工場や店舗のランニングコストを低減させることができる。
【００３１】
【発明の効果】
このように、本発明によれば空調機器その他の電気機械器具を相互に時間差を持たせて間欠作動させることで最大電力の低減を図ることができる効果がある。
【００３２】
すなわち、本発明によれば、
（１）空調機器その他の電気機械器具を相互に時間差を持たせて間欠作動させて、最大電力の低減を図ることができ省エネを図ることができる効果がある。
（２）最大電力の低減を図ることで、電力料金を可及的に減少させることができ、工場や店舗のランニングコストを低減させることができる効果がある。
（３）電気機械器具を一斉に作動させるのを回避することで、最大電力の低減を図り、電力設備の可及的低減を図り、設備投資の節減を図ることができる。
（４）最大電力の低減を図ることで、電気機械器具の省電力を図り、石油やウラン等の燃料の省資源を図ることが出来る効果がある。
（５）最大電力の低減を図ることで、電気機械器具の作動時間を可及的に減少させることができ、電気機械器具の寿命を可及的に伸長させることができることができる効果がある。
（６）電気機械器具の省電力を図ることで、環境の悪化を可及的に阻止することができ、環境改善に寄与することができる効果がある。
（７）このようにして、石油やウラン等の燃料の省資源を図り、さらに環境の悪化を可及的に阻止することができるようにして、従来の不具合の解消を図り、使用勝手を飛躍的に向上させることができるという効果がある。
（８）これらにより、従来の不具合の解消を図ることで、使用勝手を飛躍的に向上させることができる大なる効果がある。
【図面の簡単な説明】
【図１】本発明の実施の形態の一例を示す構成の配置図である
【図２】本発明の実施の形態の一例を示すフローチャート図である
【図３】従来例の内無負荷時を示す運転状態図である
【図４】従来例の内中負荷時を示す運転状態図である
【図５】従来例の内高負荷時を示す運転状態図である
【図６】本発明の実施の形態の一例の内無負荷時を示す運転状態図である
【図７】本発明の実施の形態の一例の内中負荷時を示す運転状態図である
【図８】本発明の実施の形態の一例の内高負荷時を示す運転状態図である
【符号の説明】
１    電気機械器具の省電力装置用制御機器
２    検出値入力部
２ａ  温度入力部
２ｂ  湿度入力部
２ｃ  気圧入力部
２ｄ  不快指数入力部
３    作動指令入力部
３ａ  １段作動指令入力部
３ｂ  ２段作動指令入力部
３ｃ  ３段作動指令入力部
４    作動プログラム記憶部
５    プログラム処理部
６    表示部
７    作動指令出力部
７ａ  １段作動指令出力部
７ｂ  ２段作動指令出力部
７ｃ  ３段作動指令出力部
７ｘ  ｎ段作動指令出力部
【図１】
2004166475.tif 000003
【図２】
2004166475.tif 000004
【図３】
2004166475.tif 000005
【図４】
2004166475.tif 000006
【図５】
2004166475.tif 000007
【図６】
2004166475.tif 000008
【図７】
2004166475.tif 000009
【図８】
2004166475.tif 000010